【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
カメラとプリンタとを備えた写真撮影遊戯機であって、
前記カメラを制御して、通常合成画像用の複数の第１写真画像を生成する第１撮影制御手段と、
前記第１写真画像又は前記通常合成画像が配置される１又は複数の第１配置領域と、被写体を含む第２写真画像が配置される第２配置領域と、背景画像とを有するコラージュ合成画像用のレイアウト画像を決定する決定手段と、
決定された前記レイアウト画像の前記第１配置領域に、前記第１写真画像を配置し、前記第２配置領域に前記カメラが撮影する被写体映像を配置して前記レイアウト画像を表示するライブ映像表示手段と、
前記レイアウト画像が表示された後、前記カメラを制御して、前記第２写真画像を生成する第２撮影制御手段と、
前記レイアウト画像の前記第１配置領域に前記第１写真画像を配置し、前記第２配置領域に前記第２写真画像を配置して表示し、前記第１配置領域に配置される前記第１写真画像の選択を受け付ける受付手段と、
前記第１写真画像に対応した編集画像の入力を受け付ける編集手段と、
前記第１写真画像と前記編集画像とを合成して複数の前記通常合成画像を生成する第１生成手段と、
選択された前記第１写真画像、又は、選択された前記第１写真画像に対応した前記通常合成画像を前記第１配置領域に配置したレイアウト画像と、前記第２写真画像と、を合成してコラージュ合成画像を生成する第２生成手段と、
前記プリンタを制御して、前記複数の通常合成画像と、前記コラージュ合成画像とを印刷用紙に印刷する印刷制御手段とを備える、写真撮影遊戯機。
【請求項２】
請求項１に記載の写真撮影遊戯機であって、
前記受付手段は、
前記複数の第１配置領域と、前記第２写真画像が予め配置された第２配置領域とを有する前記レイアウト画像と、複数の前記第１写真画像が表示される選択領域とを表示する選択表示手段と、
前記選択領域に表示される前記複数の第１写真画像の中から前記第１配置領域に配置する第１写真画像の選択を前記第１配置領域順に受け付ける選択手段と、
前記第１写真画像の選択を受け付けるごとに、前記選択された第１写真画像を前記第１配置領域に配置して表示する配置手段とを備える、写真撮影遊戯機。
【請求項３】
請求項２に記載の写真撮影遊戯機であって、
前記受付手段はさらに、
全ての前記第１配置領域に前記第１写真画像が配置された後、前記第１写真画像の選択し直しを受け付ける第１選択し直し手段と、
前記第１選択し直し手段が選択し直しを受け付けたとき、前記全ての第１配置領域に配置された前記第１写真画像の配置を解除する第１リセット手段とを備える、写真撮影遊戯機。
【請求項４】
請求項２又は請求項３に記載の写真撮影遊戯機であって、
前記受付手段はさらに、
前記第２配置領域に前記第２写真画像が予め配置され、かつ、前記第１配置領域に前記第１写真画像が予め配置されたレイアウト画像を表示するサンプル表示手段と、
前記サンプル表示手段により表示された前記レイアウト画像の前記第１写真画像の選択し直しを受け付ける第２選択し直し手段と、
前記第２選択し直し手段が選択し直しを受け付けたとき、前記全ての第１配置領域に配置された前記第１写真画像の配置を解除する第２リセット手段とを備える、写真撮影遊戯機。
【請求項５】
請求項１に記載の写真撮影遊戯機であって、
前記受付手段は、
前記第２配置領域に前記第２写真画像が配置されたレイアウト画像と、前記レイアウト画像内の１又は複数の第１配置領域ごとの選択領域と、前記選択領域ごとに表示される前記複数の第１写真画像とを表示する選択表示手段と、
各選択領域ごとに前記第１写真画像の選択を受け付ける選択手段と、
前記各選択領域で選択された第１写真画像を、対応する前記第１配置領域に配置して表示する配置手段とを備える、写真撮影遊戯機。
【請求項６】
請求項１〜請求項５のいずれか１項に記載の写真撮影遊戯機であって、
前記レイアウト画像はさらに、複数の文字画像からなる基準文字列画像が配置された第３配置領域を備え、
前記写真撮影遊戯機はさらに、
前記決定されたレイアウト画像の前記第１配置領域に、選択された前記第１写真画像を配置し、前記第２配置領域に前記第２写真画像を配置して表示して、文字列の入力を受け付ける文字列受付手段と、
前記基準文字列画像に代えて、入力された前記文字列に対応する文字列画像を前記第３配置領域に配置して表示する文字列画像表示手段とを備え、
前記第２生成手段は、表示された前記文字列画像を含むコラージュ合成画像を生成する、写真撮影遊戯機。
【請求項７】
請求項１に記載の写真撮影遊戯機であって、
前記レイアウト画像内の１又は複数の前記第１配置領域には、配置される前記第１写真画像又は前記通常合成画像の画像処理方法が予め対応付けられ、
前記第２生成手段はさらに、前記第１配置領域に応じて前記第１写真画像又は前記通常合成画像を画像処理して前記コラージュ合成画像を生成する、写真撮影遊戯機。
【請求項８】
カメラとプリンタとを備えた写真撮影遊戯機を用いた写真撮影遊戯方法であって、
前記カメラを制御して、通常合成画像用の複数の第１写真画像を生成するステップと、
前記第１写真画像又は前記通常合成画像が配置される１又は複数の第１配置領域と、被写体を含む第２写真画像が配置される第２配置領域と、背景画像とを有するコラージュ合成画像用のレイアウト画像を決定するステップと、
決定された前記レイアウト画像の前記第１配置領域に、前記第１写真画像を配置し、前記第２配置領域に前記カメラが撮影する被写体映像を配置して前記レイアウト画像を表示するステップと、
前記レイアウト画像が表示された後、前記カメラを制御して、前記第２写真画像を生成するステップと、
前記レイアウト画像の前記第１配置領域に前記第１写真画像を配置し、前記第２配置領域に前記第２写真画像を配置して表示し、前記第１配置領域に配置される前記第１写真画像の選択を受け付けるステップと、
前記第１写真画像に対応した編集画像の入力を受け付けるステップと、
前記第１写真画像と前記編集画像とを合成して複数の前記通常合成画像を生成するステップと、
選択された前記第１写真画像、又は、選択された前記第１写真画像に対応した前記通常合成画像を前記第１配置領域に配置したレイアウト画像と、前記第２写真画像と、を合成してコラージュ合成画像を生成するステップと、
前記プリンタを制御して、前記複数の通常合成画像と、前記コラージュ合成画像とを印刷用紙に印刷するステップとを備える、写真撮影遊戯方法。
【請求項９】
カメラとプリンタとを備えた写真撮影遊戯機に搭載されたコンピュータに、
前記カメラを制御して、通常合成画像用の複数の第１写真画像を生成するステップと、
前記第１写真画像又は前記通常合成画像が配置される１又は複数の第１配置領域と、被写体を含む第２写真画像が配置される第２配置領域と、背景画像とを有するコラージュ合成画像用のレイアウト画像を決定するステップと、
決定された前記レイアウト画像の前記第１配置領域に、前記第１写真画像を配置し、前記第２配置領域に前記カメラが撮影する被写体映像を配置して前記レイアウト画像を表示するステップと、
前記レイアウト画像が表示された後、前記カメラを制御して、前記第２写真画像を生成するステップと、
前記レイアウト画像の前記第１配置領域に前記第１写真画像を配置し、前記第２配置領域に前記第２写真画像を配置して表示し、前記第１配置領域に配置される前記第１写真画像の選択を受け付けるステップと、
前記第１写真画像に対応した編集画像の入力を受け付けるステップと、
前記第１写真画像と前記編集画像とを合成して複数の前記通常合成画像を生成するステップと、
選択された前記第１写真画像、又は、選択された前記第１写真画像に対応した前記通常合成画像を前記第１配置領域に配置したレイアウト画像と、前記第２写真画像と、を合成してコラージュ合成画像を生成するステップと、
前記プリンタを制御して、前記複数の通常合成画像と、前記コラージュ合成画像とを印刷用紙に印刷するステップとを実行させる、制御プログラム。